【事件の表示】
　平成５年特許願第１０１０４５号「ディスク塗膜硬化装置」拒絶査定不服審判事件〔平成６年１１月１日出願公開、特開平６−３０４５１６〕について、次のとおり審決する。
【結　論】
　本件審判の請求は、成り立たない。
【理　由】
１．手続の経緯
（１）特許出願：平成５年４月２７日（特願平５−１０１０４５号）
（２）拒絶理由通知：平成１４年３月７日(発送日：平成１４年３月１２日)
（３）手続補正書：平成１４年４月１８日
（４）拒絶理由通知：平成１４年５月３１日(発送日：平成１４年６月４日)
（５）拒絶査定：平成１４年１１月２９日(発送日：平成１４年１２月３日)
（６）審判請求：平成１４年１２月１９日
　
２．本願発明
　本願出願の請求項１に係る発明（以下、「本願発明」という。）は、平成１４年４月１８日付けの手続補正書によって補正された明細書及び図面の記載からみて、特許請求の範囲の請求項１に記載された次のとおりのものと認める。
「【請求項１】　記録媒体であるディスクの表面に塗料を塗布し、その塗膜を硬化促進光線で硬化させるものにおいて、硬化促進光線を反射する反射板をディスクの裏に、該ディスクを支承するシャフトに装着すると共に、この反射板には、ディスク周面に光線を集中させる曲率の設計がなされた凹面を形成したことを特徴とするディスク塗膜硬化装置。」
　
３．引用文献
（１）原査定の拒絶の理由に引用された実願平３−１８３０１号（実開平４−１１１０１５号）のマイクロフィルム（以下、「引用文献１」という。）には、次の事項が図面とともに記載されている。
（ア）「本考案は、紫外線硬化型樹脂の塗布された記録ディスクを、コンベア等の搬送装置によって搬送し、搬送中に該記録ディスクに紫外線を照射して上記紫外線硬化型樹脂を硬化させる際に、搬送中の上記記録ディスクを保持する略皿状の保持具であって、該保持具の底部内面の中心部に、上記記録ディスクのディスク中心部を支承して上記記録ディスクを上記底部内面から浮上させる凸部を設けたことを特徴とする記録ディスクの保持具を提供することにより上記目的を達成したものである。」（第３頁２９行〜第４頁６行、段落〔０００６〕）
（イ）「本実施例の記録ディスクの保持具１０は、図１、図２に示す如く、円形の略皿形状に形成され、紫外線硬化型樹脂が塗布されている記録ディスク２０を、その中心部を該保持具１０の凸部１２上に載置した状態でコンベア３０（図３参照）によって搬送するためのもので‥‥‥‥本実施例について詳述すると、上記保持具１０は、図１に示す如く、底部外面が平坦に形成され、上記コンベア３０によって安定した状態で記録ディスク２０を搬送できるように形成されている。また、この保持具１０の底部内面１１の中心部には、上記記録ディスク２０の記録領域２１の内側に位置するディスク中心部２２よりも小径の凸部１２が形成されている。また、この凸部１２は、その上端面に上記記録ディスク２０のディスク中心部２２の中央孔に嵌入する嵌入突起１２Ａが形成され、該嵌入突起１２Ａが上記ディスク中心部２２の中央孔に嵌入して記録ディスク２０を保持具１０の底部内面１１から浮上させて支承するようになっている。」（第４頁２１行〜第５頁６行、段落〔０００９〕〜〔００１０〕）
（ウ）「上記保持具１０の底部内面１１の周辺部を傾斜周面１１Ａとなしてあり、該傾斜周面１１Ａには紫外線を保持具１０の内方へ反射する反射面１３が形成されている。この反射面１３は、紫外線を保持具１０の内方へ反射して記録ディスク２０の側面に塗布された紫外線硬化型樹脂を硬化する傾斜角θ（通常、４５度）に形成してある。」（第５頁１０〜１４行、段落〔００１１〕）
（エ）「本実施例の保持具１０を用いて記録ディスク２０に塗布された紫外線硬化型樹脂を硬化させる場合について説明すると、所定の工程を経由してディスク基板に多数の微細な溝を形成し、更に、このディスク基板に紫外線硬化型樹脂を塗布して記録ディスク２０を作り、この記録ディスク２０をコンベア３０上の保持具１０内に供給し、ディスク中心部２２の中央孔を保持具１０の凸部１２の嵌入突起１２Ａに嵌入させると、記録ディスク２０は、紫外線硬化型樹脂の塗布された記録領域２１を底部内面１１から浮上させた状態で凸部１２によって支承される。このような状態で記録ディスク２０を保持具１０と共にコンベア３０によって搬送すると、記録ディスク２０、搬送中にコンベア３０の上方にある光源４０から照射される紫外線を受けて記録領域２１の紫外線硬化型樹脂が硬化する。また、この際、保持具１０の周辺部１１Ａの反射面１３によって紫外線が反射されて記録ディスク２０の周側面の樹脂も硬化する。」（第５頁２３行〜第６頁５行、段落〔００１３〕）
（オ）「本考案の記録ディスクの保持具によれば、記録ディスクに塗布された紫外線硬化型樹脂を硬化させる際に、‥‥‥‥ディスク側面の樹脂を効率的に硬化させることもできる。」（第６頁２０〜２３行、段落〔００１６〕）
　
　上記の各記載事項及び図面の記載を総合すると、引用文献１には、次のような発明（以下、「引用発明１」という。）が記載されているものと認められる。
「記録ディスクの表面に紫外線硬化型樹脂を塗布し、その塗布された紫外線硬化型樹脂を紫外線で硬化させるものにおいて、略皿状保持具の底部内面の中心部に設けられた嵌入突起を備える凸部により記録ディスクを底部内面から浮上させた状態で支承し、略皿状保持具の周辺部に底部内面から外方斜上方に傾斜した傾斜周面の内面に反射面を形成し、この反射面により紫外線を内方へ反射して記録ディスクの周側面に塗布された紫外線硬化型樹脂を硬化させるようにした記録ディスクに塗布された紫外線硬化型樹脂を硬化させる硬化装置。」
　
（２）同じく原査定の拒絶の理由に引用された実願昭６０−１１４０２５号（実開昭６２−２４９７３号）のマイクロフィルム（以下、「引用文献２」という。）には、次の事項が図面とともに記載されている。
（ア）「この考案にかかる紫外線照射装置は、被照射物が搬送される被照射物搬送コンベアと、このコンベアの上方に設置された紫外線照射ランプとを備えた紫外線照射装置において、前記コンベアの下方に、被照射物への上方からの照射範囲以外の残る面に紫外線を照射する補助紫外線照射装置が設置されていることを特徴とする。」（第３頁５〜１２行）
（イ）「前記被照射物搬送コンベア２は‥‥‥‥メッシュタイプのものとされている。この被照射物搬送コンベア２の上方には‥‥‥‥‥紫外線照射ランプ３が設置されており‥‥‥‥こうした紫外線照射装置において、コンベアシャーシ５の各内側に補助紫外線照射装置である補助紫外線反射部材７が設置されている。この補助紫外線反射部材７は、第２図にみるように、円弧形の横断面を一様に備えた形状とされて、たとえば、適度な剛性をもたせたアルミ板とかアルミ押出材を用いて形成され、その長手方向両端には支持アーム８，８がリベット止めによって固定されている。」（第４頁１〜１７行）
（ウ）「この紫外線照射装置によると、紫外線照射ランプ３からの紫外線は、第１図（ｂ）の被照射物１の上面だけでなく、矢印Ａで示すように、被照射物搬送コンベア２の間隙を通過して左右の補助紫外線反射部材７，７で集束されて反射されることにより被照射物１の左右両側面と下面（裏面）にも強く照射される。そのことから、被照射物１に付着された紫外線硬化樹脂液が光のロスなくして全体的に有効に硬化する。なお、前記実施例にみるように、固定具１０によって補助紫外線反射部材７の反射角度を調節することにより、効果的に硬化させることができる。」（第５頁１２行〜第６頁３行）
（エ）「前記コンベアの下方に、被照射物への上方からの照射範囲以外の残る面に紫外線を照射する補助紫外線照射装置が設置されているので、被照射物の硬化すべき表面全体にわたって紫外線を照射することができて、硬化処理を全体にわたって施すことができる。」（第７頁６〜１１行）
　
（３）同じく原査定の拒絶の理由に引用された特開平３−１１８８７０号公報（以下、「引用文献３」という。）には、次の事項が図面とともに記載されている。
（ア）「本発明は、コンパクトディスク等のディスクの表面に保護膜等の塗膜を形成するための塗膜形成装置に関する。
【従来の技術】
　第４図は従来の塗膜形成装置を説明するための図である。ロッド１には支持部材２を介してディスク用受け皿３を固定し、そのロッド１を駆動用モータ４で往復運動させることにより、ディスク搬入口５からディスク搬入位置６にあるディスク用受け皿３に載置された塗膜が形成されたばかりのディスク７をディスク搬出位置８まで、紫外線照射に適した速度で搬送する。その過程で、ディスク７の塗膜は紫外線照射装置９からの紫外線により硬化する。」（第１頁下右欄１２行〜第２頁上左欄６行）
（イ）「第1図により本発明の一実施例を説明する。チェーンのようなコンベヤ１１の外側の面に等間隔で３個所固定された支持部材２を介して、ディスク用受け皿３が夫々支持部材２の先端に取り付けられている。‥‥‥先ず、コーターハウス１３内で塗膜の形成されたディスク７が、ディスク搬入口５からディスク搬入位置６にあるディスク用受け皿３に設置される。次に、駆動用モータ４でコンベヤ１１を紫外線照射に適した速度で１ピッチ移動することにより‥‥‥移動する。その過程で、ディスク搬入位置６にあるディスク用受け皿３上のディスク７は紫外線照射装置９からの紫外線を受け、塗膜が硬化された状態でディスク排出位置８に達する。」（第２頁下右欄６行〜第３頁上左欄６行）
　
４．本願発明と引用発明１との対比
　本願発明と引用発明１とを対比すると、引用発明１の「紫外線硬化型樹脂」、「塗布された紫外線硬化型樹脂」及び「紫外線」は、それらの技術的意義に照らして、本願発明における「塗料」、「塗膜」及び「硬化促進光線」にそれぞれ相当し、同様に、引用発明１の「記録ディスク」、「記録ディスクの側周面」及び「記録ディスクに塗布された紫外線硬化型樹脂を硬化させる硬化装置」は、本願発明における「（記録媒体である）ディスク」、「ディスクの周面」及び「ディスク塗膜硬化装置」にそれぞれ相当する。
　また、引用発明１における略皿状保持具の底部内面の中心部に設けられた「嵌入突起を備える凸部」は、記録ディスクを底部内面から浮上させた状態で支承するものであって、記録ディスクを支承する支承部材の限りで、本願発明の「シャフト」と一致する。
　さらに、引用発明１においては、略皿状保持具の周辺部には底部内面から外方斜上方に傾斜した傾斜周面の内面に反射面が形成されており、この反射面により、記録ディスクの上方から照射される紫外線を内方へ反射して、記録ディスクの周側面に塗布された紫外線硬化型樹脂を照射させて硬化させるものであり、引用発明１の「略皿状保持具」は、その機能からみて「硬化促進光線を反射する反射部材」の限りで、本願発明における「硬化促進光線を反射する反射板」に一致するということができる。
　したがって、本願発明と引用発明１との一致点、相違点は次のとおりである。
〈一致点〉
「記録媒体であるディスクの表面に塗料を塗布し、その塗膜を硬化促進光線で硬化させるものにおいて、支承部材によりディスクを支承し、硬化促進光線を反射する反射部材をディスクの下方に位置させ、この反射部材に形成された反射面により硬化促進光線をディスク周面に照射させてディスク周面の塗膜を硬化させるようにしたディスク塗膜硬化装置。」
〈相違点１〉
　本願発明では、ディスクを支承する支承部材がシャフトであり、硬化促進光線を反射する反射部材である反射板は、ディスクの裏でディスクを支承するシャフトに装着されているのに対し、引用発明１においては、ディスクを支承する支承部材は、略皿状保持具の底部内面の中心部に設けられた嵌入突起を備える凸部であり、硬化促進光線を反射する反射面は略皿状保持具の周辺部に形成されている点。
〈相違点２〉
　硬化促進光線をディスク周面に照射させてディスク周面の塗膜を硬化させる反射面が、本願発明では、ディスク周面に光線を集中させる曲率の設計がなされた凹面で形成されているのに対し、引用発明１においては、そのような凹面には形成されていない点。
　
５．相違点についての検討及び判断
　そこで、上記相違点１、２について検討する。
（１）相違点１について
　ディスク塗膜硬化装置において、ディスクの塗膜を硬化させるべく硬化促進光線の光源の下にディスクを搬送するために、移動可能なスライダや支持部材を用いることは、通常一般に採用されている周知の技術的事項と解されるところ、スライダや支持部材に取り付けられたシャフト状部材によりディスクを支承してディスクを搬送するように構成することは、ディスクの搬送手段や搬送形態に応じて一般的に適宜採用されている周知の技術的事項である（例えば、実願平１−１３２８７９号（実開平３−７０７８２号）のマイクロフィルム〈特に、第３頁１〜１１行及び第３図等参照〉、引用文献３等を参照のこと）。
　したがって、引用発明１において、ディスクをシャフト状部材で支承して搬送するように構成することは、当業者が容易に想到し得ることである。
　そして、引用発明１におけるディスクを支承する凸部とディスク及び周辺部に反射面が形成された略皿状保持具の位置関係をみると、凸部に支承されたディスクは保持具の底部内面から浮上した状態にあり、さらに、反射面はディスクの周面を囲むように位置付けられており、これらの位置関係は、本願発明におけるシャフトとディスク及び反射板の位置関係と同じ態様にある。
　してみると、引用発明１において、ディスクをシャフトで支承するよう構成するにあたり、硬化促進光線をディスク周面に反射させる反射面をディスクの周面を囲むように位置付けるため、反射面を備えた部材をディスクの下方側に装着することは当然の帰着としてなされるべきことというべきであり、この点に格別な創意工夫を要するということはできない。
　なお、引用発明１においては、反射面は略皿状保持具の周辺に設けられているが、紫外線の反射特性を勘案し、保持具を反射板とすることは、当業者が設計上適宜なし得ることである。
　したがって、本願発明の相違点１に係る構成は、引用発明１や前述した周知の技術的事項に基づき、ディスクの搬送手段や搬送形態等に応じて、当業者が格別困難なく容易に想到し得る程度の事項である。
　
（２）相違点２について
　次に、相違点２について検討する。
　引用発明１においては、上方からの硬化促進光線を反射して記録ディスクの周側面に塗布された紫外線硬化型樹脂に照射させる反射面は、略皿状保持具の周辺部に底部内面から外方斜上方に傾斜した傾斜周面の内面に形成され、底部内面から浮上させた状態で支承されているディスクの周囲を囲むように位置付けられており、ディスク周面の塗膜を効率的に硬化させるものであるが、この反射面は本願発明の反射板のように凹面に形成されていない。
　ところで、引用文献２には、上記記載事項（ア）〜（エ）及び第３図（ａ）などを総合すると、上方に設置された紫外線照射ランプから発せられる紫外線を被照射物に照射させて被照射物の樹脂塗膜を硬化させる際に、上方からの紫外線を直接照射させることができない被照射物の左右両側面や下面に上方からの紫外線を反射して照射する反射部材を断面円弧状、すなわち凹面に形成し、上方からの紫外線を集束して反射し、所定の部位や領域に強く照射することができるようにし、被照射物の左右両側面や下面等の所望の領域の樹脂塗膜をも効果的に硬化させる技術が記載されているものと認められる。
　したがって、引用発明１において、記録ディスクの周側面に塗布された紫外線硬化型樹脂を硬化させる際、特に効果的に硬化させる箇所に紫外線を収束させるべく、反射面を凹面とすることは、引用文献２に記載された技術に基づいて当業者が容易に想到し得ることである。
　そして、凹面の反射面において、その曲率を変化させることにより、反射する紫外線等の光線の焦点距離を変化させることができ、さらに、反射する紫外線等の光線を所望の部位や領域に適宜集束させることができることは、周知の技術的事項であり、反射した紫外線を、被照射物の左右両側面等の効果的に硬化させる箇所に集中して照射させるようにその曲率を設計することは、当業者が格別な創意工夫を要することなく容易に想到し得る程度のものである。
　してみると、引用発明１におけるディスク周側面の塗膜を硬化させるべく硬化促進光線をディスク周面に反射して照射させるための反射面に、引用文献２に記載された技術や前述した周知の技術的事項を採用して、本願発明の相違点２に係る構成とすることは、当業者が格別困難なく容易に想到し発明することができたものである。
　
（３）相違点についての検討及び判断のむすび
　以上のように、本願発明のような構成とすることは、引用文献１ないし引用文献３に記載された発明並びに前述した周知の技術的事項に基づいて、当業者が格別な困難性を伴うことなく容易に想到し発明をすることができたものであり、しかも、本願発明は、全体構成でみても、引用文献１ないし引用文献３に記載された発明並びに前述した周知の技術的事項から予測できる作用効果以上の格別顕著な作用効果を奏するものではない。
　
６．むすび
　以上のとおり、本願発明は、当業者がその出願前に日本国内において頒布された刊行物に記載された発明に基づいて容易に発明をすることができたものであるから、特許法第２９条第２項の規定により特許を受けることができない。
　よって、結論のとおり審決する。